(57)【特許請求の範囲】
【請求項１】
外部機器と通信するインターフェースと、
少なくとも省エネモードと通常モードの消費電力状態と、通常モードより消費電力が小さく、かついずれも省エネモードよりも消費電力が大きい待機モード２と、待機モード２よりも消費電力が大きい待機モード１の消費電力状態、に切り替え制御する実行制御部と、表示部を有する表示部制御部と、
入力画像データに基づき画像を出力する印刷部と、を備えた画像形成装置において、
前記実行制御部は、前記待機モード１では、印刷部の定着器の温度を通常モード時よりも下げたスタンバイモードにすると共に、前記表示部制御部の制御によって表示部の表示を消し、
前記待機モード２では、印刷部を前記スタンバイモードにすると共に表示部制御部への電力供給を停止し、
省エネモードでは、印刷部への電力供給及び表示部制御部への電力供給を停止し、かつ、
前記待機モード１又は２の消費電力モードでは、外部機器から前記インターフェースを介して画像データを受けたとき、それぞれ当該消費電力モードを変更することなく印刷部のみを通常モードにして前記画像データの処理を行うよう制御することを特徴とする画像形成装置。
【請求項２】
請求項１に記載された画像形成装置において、
前記待機モード１又は２の消費電力モードでは、前記実行制御部は、印刷部の画像出力終了後に再度前記印刷部をスタンバイモードにするよう制御することを特徴とする画像形成装置。
【請求項３】
請求項１又は２に記載された画像形成装置において、
画像を読み取る画像読取部を備え、
前記待機モード１又は２では、前記モードを変更せずに画像読取を行うことを特徴とする画像形成装置。
【請求項４】
請求項１ないし３のいずれかに記載された画像形成装置において、
前記実行制御部は、消費電力モードが省エネモードの時、外部機器と通信するインターフェースから画像形成装置宛のデータを受けたとき、消費電力モードを待機モード２に変更して前記データの処理を行うよう制御することを特徴とする画像形成装置。
【請求項５】
請求項１ないし４のいずれかに記載された画像形成装置において、
前記実行制御部は、通常モードより消費電力が小さい消費電力モードから通常モードに復帰後、通常モードより消費電力が小さい消費電力モードに移行する際は、待機モード１を経由せず待機モード２に移行するよう、モードを切り替え制御することを特徴とする画像形成装置。
【請求項６】
請求項５に記載された画像形成装置において、
通常モードより消費電力が小さい消費電力モードから通常モードに移行するときの通常モードより消費電力が小さい消費電力モードは、前記待機モード１であることを特徴とする画像形成装置。
【請求項７】
請求項５に記載された画像形成装置において、
通常モードより消費電力が小さい消費電力モードから通常モードに移行するときの通常モードより消費電力が小さい消費電力モードは、前記待機モード２であることを特徴とする画像形成装置。
【請求項８】
請求項５に記載された画像形成装置において、
通常モードより消費電力が小さい消費電力モードから通常モードに移行するときの通常モードより消費電力が小さい消費電力モードは、前記省エネモードであることを特徴とする画像形成装置。
【請求項９】
請求項３ないし８のいずれかに記載された画像形成装置において、
通常モードから待機モード１への遷移は、前記実行制御部が、入力部の入力がない状態で、画像を読み取る画像読取部及び印刷部での処理が終了してから第１の所定時間経過したときに実行することを特徴とする画像形成装置。
【請求項１０】
請求項３ないし８のいずれかに記載された画像形成装置において、
通常モードから待機モード２への遷移は、前記実行制御部が、入力部の入力がない状態で、画像を読み取る画像読取部及び印刷部での処理が終了してから第２の所定時間経過したときに実行することを特徴とする画像形成装置。
【請求項１１】
請求項１０に記載された画像形成装置において、
待機モード２から省エネモードへの遷移は、前記実行制御部が、待機モード２が第３の所定時間継続したときに実行することを特徴とする画像形成装置。
【発明の詳細な説明】
【技術分野】
【０００１】
本発明は、節電モードを備えた画像形成装置に関する。
【背景技術】
【０００２】
近年、デジタル複写機などの画像形成装置において、機器の省電力化に向けて様々な工夫がなされている。例えば、その動作モードにおいて、スリープモード等の省エネルギー（以下、省エネという）モードが設けられており、一定時間印刷ジョブが無いときは自動的に通常モードから待機モードに移行し、更に一定時間が経つと待機モードからスリープモードなどの省エネモードに移行して、省電力化を図るという機能を備えている。
【０００３】
図９は、従来の一定時間の経過に従い、画像形成装置における状態の遷移を示す図である。図９に示すように、電源がオンすると、機器は通常モードの状態になる（Ｓ０）。通常モードでは画像形成装置全体に電源が供給される。通常モードの状態から一定時間（実行制御部にあるタイマーが予め設定してある時間Ｔ１）の間印刷ジョブがなかったときは、プロッタ部の定着温度を通常モードよりも低くして、表示（ＬＣＤ）制御部によりＬＣＤ（液晶ディスプレイ）の表示を消して、通常モードより消費電力が低い待機モードに移行する（Ｓ１）。
待機モードから通常モードへ復帰は、操作部のキー、例えば、パワーキーが押下された場合などに発生する（Ｓ２）。待機モードの状態で更に一定時間Ｔ２（通常はＴ１＜Ｔ２）が経ち、印刷ジョブがない場合は、機器はＤＲＡＭ（Dynamic Random Access
Memory）などの記憶装置などの一部以外の電力供給を中断し、待機モードから省エネモードに移行する（Ｓ３）。省エネモードから通常モードへの復帰は上記パワーキーが押下された場合に発生する（Ｓ４）。タイマー機能はＲＴＣ（Real Time Clock）に内蔵された機能の一部を使用する。
【０００４】
上記従来の画像形成装置では、省エネモードからの復帰は、画像形成装置全体に電源が入り、ネットワークからの印刷データを画像形成装置宛に送ると、画像形成装置は省エネモードから通常モードになってから印刷を行う。しかし、印刷を行う場合は操作部の操作はしないので、操作部の表示が消えていても影響はないのにもかかわらず、省エネモードからの復帰時には、操作部にも電源が供給されてしまうので電力が無駄になるという問題がある。
【０００５】
この問題に対しては、印刷などを行うときに、操作部の表示が消えていても影響がない場合には、操作部の表示を消して、操作部の非表示状態におけるさらなる省電力化を図る画像形成装置が既に知られている。例えば、特許文献１には、画像形成装置にＷｅｂサーバまたはメール送信サーバのようなミドルウェアを搭載し、機器の待機モード時に、機器に異常が発生したときなどに、操作部に異常表示を行わないで、メール送信サーバなどを用いてユーザーに異常発生情報を知らせる画像形成装置が開示されている（特許文献１参照）。
【０００６】
この画像形成装置では、ユーザーが印刷ジョブを多く実行する場合などにおいては、多くの画像を確認するためには時間がかかる。そのため、操作部を制御するＣＰＵ（Central Processing Unit）の高速化が要求されるが、操作部を制御するＣＰＵを高速化するとＣＰＵの消費電力は大きくなり、操作部の表示を消すだけでは待機モードの消費電力を削減できない。
しかし、特許文献１に記載された画像形成装置では、操作部の表示を消すことで省電力化を図っているだけで、ＣＰＵの高速化に伴うＣＰＵの消費電力に関しては省電力化の対策が講じられてない。
また、画像形成装置における省電力を要求するユーザーが、消費電力の小さい省エネモードに設定する場合、省エネモードからの復帰時に定着器が温まるのに時間がかかるため、ユーザーは使い勝手が悪い省エネモードを使用しないで、省エネモードより消費電力が大きい待機モードを使用する傾向があり、省電力が十分になされないという問題がある。
【発明の概要】
【発明が解決しようとする課題】
【０００７】
本発明は、上記従来の問題に鑑みてなされたものであり、その目的は、画像形成装置において、良好な使い勝手を維持しつつ一層の省電力化を図ることである。
【課題を解決するための手段】
【０００８】
請求項１の発明は、外部機器と通信するインターフェースと、少なくとも省エネモードと通常モードの消費電力状態と、通常モードより消費電力が小さく、かついずれも省エネモードよりも消費電力が大きい待機モード２と、待機モード２よりも消費電力が大きい待機モード１の消費電力状態、に切り替え制御する実行制御部と、表示部を有する表示部制御部と、入力画像データに基づき画像を出力する印刷部と、を備えた画像形成装置において、前記実行制御部は、前記待機モード１では、印刷部の定着器の温度を通常モード時よりも下げたスタンバイモードにすると共に、前記表示部制御部の制御によって表示部の表示を消し、前記待機モード２では、印刷部を前記スタンバイモードにすると共に表示部制御部への電力供給を停止し、省エネモードでは、印刷部への電力供給及び表示部制御部への電力供給を停止し、かつ、前記待機モード１又は２の消費電力モードでは、外部機器から前記インターフェースを介して画像データを受けたとき、それぞれ当該消費電力モードを変更することなく印刷部のみを通常モードにして前記画像データの処理を行うよう制御することを特徴とする画像形成装置である。
請求項２の発明は、請求項１に記載された画像形成装置において、前記待機モード１又は２の消費電力モードでは、前記実行制御部は、印刷部の画像出力終了後に再度前記印刷部をスタンバイモードにするよう制御することを特徴とする画像形成装置である。
請求項３の発明は、請求項１又は２に記載された画像形成装置において、画像を読み取る画像読取部を備え、前記待機モード１又は２では、前記モードを変更せずに画像読取を行うことを特徴とする画像形成装置である。
請求項４の発明は、請求項１ないし３のいずれかに記載された画像形成装置において、前記実行制御部は、消費電力モードが省エネモードの時、外部機器と通信するインターフェースから画像形成装置宛のデータを受けたとき、消費電力モードを待機モード２に変更して前記データの処理を行うよう制御することを特徴とする画像形成装置である。
請求項５の発明は、請求項１ないし４のいずれかに記載された画像形成装置において、前記実行制御部は、通常モードより消費電力が小さい消費電力モードから通常モードに復帰後、通常モードより消費電力が小さい消費電力モードに移行する際は、待機モード１を経由せず待機モード２に移行するよう、モードを切り替え制御することを特徴とする画像形成装置である。
請求項６の発明は、請求項５に記載された画像形成装置において、通常モードより消費電力が小さい消費電力モードから通常モードに移行するときの通常モードより消費電力が小さい消費電力モードは、前記待機モード１であることを特徴とする画像形成装置である。
請求項７の発明は、請求項５に記載された画像形成装置において、通常モードより消費電力が小さい消費電力モードから通常モードに移行するときの通常モードより消費電力が小さい消費電力モードは、前記待機モード２であることを特徴とする画像形成装置である。
請求項８の発明は、請求項５に記載された画像形成装置において、通常モードより消費電力が小さい消費電力モードから通常モードに移行するときの通常モードより消費電力が小さい消費電力モードは、前記省エネモードであることを特徴とする画像形成装置である。
請求項９の発明は、請求項３ないし８のいずれかに記載された画像形成装置において、通常モードから待機モード１への遷移は、前記実行制御部が、入力部の入力がない状態で、画像を読み取る画像読取部及び印刷部での処理が終了してから第１の所定時間経過したときに実行することを特徴とする画像形成装置である。
請求項１０の発明は、請求項３ないし８のいずれかに記載された画像形成装置において、通常モードから待機モード２への遷移は、前記実行制御部が、入力部の入力がない状態で、画像を読み取る画像読取部及び印刷部での処理が終了してから第２の所定時間経過したときに実行することを特徴とする画像形成装置である。
請求項１１の発明は、請求項１０に記載された画像形成装置において、待機モード２から省エネモードへの遷移は、前記実行制御部が、待機モード２が第３の所定時間継続したときに実行することを特徴とする画像形成装置である。
【発明の効果】
【０００９】
本発明によれば、操作部を制御する制御部に電源を供給しない待機モードなど、きめ細かく節電モードを備えることで、良好な使い勝手を維持しつつ、従来の画像形成装置に比して一層の省電力化が実現できる。
【図面の簡単な説明】
【００１０】
【図１】本実施形態の画像形成装置の構成を概略的に示すブロック図である。
【図２】操作部の構成を概略的に示す図である。
【図３】実行制御部の構成を示すブロック図である。
【図４】ＰＭ内のレジスタＰ、Ｃを説明する図である。
【図５】ＬＣＤ制御部の構成を示すブロック図である。
【図６】操作制御部の構成を示すブロック図である。
【図７】実行制御部またはＬＣＤ制御部と操作制御部の接続手段であるインターフェースについて説明する図である。
【図８】本実施形態の消費電力モードの移行について説明する図である。
【図９】従来の一定時間の経過に従い、画像形成装置における状態の遷移を示す図である。
【発明を実施するための形態】
【００１１】
以下、本発明を実施形態について、添付した図面を参照して説明する。
図１は、本実施形態の画像形成装置１００の構成を概略的に示すブロック図である。
図１において、画像形成装置１００は、画像形成装置１００に電源の供給又は供給停止を決定するスイッチ（ＳＷ）３と、外部電源８から画像形成装置１００内部に電源を供給するＰＳＵ（Power Supply Unit）４と、タッチパネル（ＴＰ）からの座標情報、または操作パネルから入力した操作情報を実行制御部２に伝え、実行制御部２からのデータを第１の表示手段であるＬＣＤ１０、または第２の表示手段であるＬＥＤ（発光ダイオード）１３に表示し、かつ音声情報を出力する操作部１と、原稿を読み取り画像データに変換して、画像データを出力する画像読取部であるスキャナ部５と、画像データを入力して印刷を実行する印刷部であるプロッタ部６と、操作制御部１２からの操作情報を実行し、スキャナ部５、プロッタ部６、ＦＣＵ（FAX control unit）７のインターフェース、外部と通信可能なインターフェースであるネットワーク、ＵＳＢ（Universal Serial Bus）を備えた実行制御部２と、ＰＳＴＮ（公衆回線）と通信を行いＦＡＸ（ファクシミリ）制御を行う上記ＦＣＵ７と、ＰＳＵ４からの電源をプロッタ部６に供給するＦＥＴ（Field Effect Transistor）であるＦＥＴ  Ｆ１と、ＰＳＵ４からの電源をスキャナ部に供給するＦＥＴであるＦＥＴ  Ｆ２と、ＰＳＵ４からの電源をＬＣＤ制御部１１に供給するＦＥＴであるＦＥＴ  Ｆ３と、から構成されている。
【００１２】
プロッタ部６は、電子写真方式による画像出力部である。電子写真式の画像形成装置では定着器を備えており、定着器の消費電力は一般に大きい。プロッタ部６には、画像データが直ちに印刷できる通常モードと、画像データの印刷に時間を要するスタンバイモードの消費電力モードがある。実行制御部２からの指示により通常モードとスタンバイモードを切替えることができる。スタンバイモードではプロッタ部６の定着器の温度を下げているので通常の印刷可能な状態よりも消費電力を下げることができる。
【００１３】
スタンバイモードでは、プロッタ部６の定着器の温度が低いため直ちに実行制御部２のＰＣＩ  Ｉ／Ｆ（インターフェース）より画像データを転送できない。実行制御部２からプロッタ部６に通常モードにするコマンドを送信後、定着器の温度が通常モードと同じ温度になると実行制御部２のＰＣＩ  Ｉ／Ｆから画像データを転送できる。
従って、プロッタ部６がスタンバイモード時は定着温度が通常モードと同じ温度になるまで時間を要するので、通常モード時よりも印刷開始時間を要する。
【００１４】
操作部１は、画像データを表示するＬＣＤ１０、座標情報を取得する図示してないタッチパネル（ＴＰ）、ＬＣＤ１０とタッチパネル（ＴＰ）を制御するＬＣＤ制御部１１と、操作パネルのキー入力制御、ＬＥＤ制御、音声出力部（図示せず）を制御する操作制御部１２からなっている。
【００１５】
図２は、操作部１の構成を概略的に示す図である。
操作部１の第一の表示手段であるＬＣＤ１０の画面上にはタッチパネル（ＴＰ）が装着されており（図示せず）、ＬＣＤ１０の画面以外にはキー・スイッチとＬＥＤが装着されている。ＬＥＤは、給電を表示するパワーＬＥＤ２０、データ受信を表示するＤａｔａ  ＩＮ  ＬＥＤ２１、エラー発生を表示するエラー  ＬＥＤ２２などがある。パワーＬＥＤ２０はＰｏｗｅｒ  ＫＥＹ１５の中に装着されている。
ＬＣＤ１０の画面の左側にあるＣＯＰＹ（コピー）１６、ＦＡＸ（ファクシミリ）１７、ＳＣＡＮ（スキャン）１８、ＰＲＩＮＴ（プリント）１９はアプリケーション画面の切替キーであり、電源オン後の初期画面はＣＯＰＹアプリケーションの画面になる。また、ＦＡＸキー１７が押されると、ＦＡＸ操作ができる画面が表示され、ＳＣＡＮキー１８が押されるとスキャン操作ができる画面が表示される。ＰＲＩＮＴキー１９が押されると、画像形成装置１００内部のＨＤＤなどの記憶装置に記憶された画像が表示される。
【００１６】
ＬＣＤ１０の画面の右側にある数字のキー、＊、＃キーはコピーの部数の設定、ＦＡＸ送信時のＦＡＸ番号の入力に使用される。Ｃｌｅａｒキー１４はキー入力を訂正するときに使用するキーである。ＣＯＰＹ画面が表示されているときにＳｔａｒｔキー２３を押すとコピー動作が行われる。コピー動作中にＳＴＯＰキー２４が押されるとコピー動作を中止する。ＦＡＸ送信画面が表示されているときに、ＦＡＸ番号が入力されていて、Ｓｔａｒｔキー２３が押されるとＦＡＸ送信動作を行う。
【００１７】
図３は、実行制御部２の構成を示すブロック図である。
図３において、実行制御部２は、実行制御部２全体にクロック信号を供給するクロック生成部２０１と、実行制御部２全体を制御する第１のＣＰＵ２０２と、第１のＣＰＵ２０２を動作させるための第１のプログラムを記憶する不揮発性記憶手段である第１のＲＯＭ（Read only Memory）２０３と、第２のプログラムを記憶し、画像データ等のデータを記憶する外部記憶手段であるＨＤＤ（Hard Disk Drive）２０４と、第１のプログラムを動作させてＨＤＤ２０４から第２のプログラムを高速に実行させるための記憶手段である第１のＤＤＲ（Double Data Rate SDRAM）２０５と、電池バックアップ式のリアルタイム・クロックであるＲＴＣ２０６と、実行制御部２の電力を制御するボード電力制御部２０７と、スキャナ部５、プロッタ部６、ＬＣＤ制御部１１の電力を制御する外部電力制御部２０８と、ネットワークと通信するための物理層であるＰＨＹ（Physical Layer）２０９と、ＰＨＹ２０９にクロックを供給するＰＨＹクロック生成部２１０と、ＡＳＩＣ（Application Specific Integrated Circuit）２１１などからなる。
【００１８】
実行制御部２には第１および第２のリセット生成部が搭載されている（図示せず）。第１のＲＯＭ２０３、ＨＤＤ２０４、第１のＣＰＵ２０２は実行制御部２の電源の供給を停止する領域である電源オフ領域（Power off Area）に搭載されており、ボード電力制御部２０７により電源オフ領域に電力供給を停止、または供給することができる。
【００１９】
実行制御部２の電源オフ領域外にあるクロック生成部２０１、ＲＴＣ２０６、第１のＤＤＲ２０５、ＰＨＹ２０９、ＰＨＹクロック生成部２１０、ボード電力制御部２０７、外部電力制御部２０８、図示しない第１のリセット生成部には、ＰＳＵ４から電源が供給されれば常に電源が供給される。
【００２０】
ＲＴＣ２０６は電池バックアップ式なので、画像形成装置１００の電源がオフされても電池により動作する。ＲＴＣ２０６は画像形成装置１００全体の時計機能とタイマー機能を有する。
【００２１】
ＡＳＩＣ２１１は、第１のＣＰＵ２０２とのインターフェースであるＣＰＵ  Ｉ／Ｆ２１２と、第１のＲＯＭ２０３とのインターフェースであるＲＯＭ  Ｉ／Ｆ２１３と、ＨＤＤ２０４とのインターフェースであるＨＤＤ  Ｉ／Ｆ２１４と、第１のＤＤＲ２０５とのインターフェースであるＭＥＭ  Ｉ／Ｆと２１５と、スキャナ部５、プロッタ部６、ＦＣＵ７とのインターフェースであるＰＣＩ  Ｉ／Ｆ２１６と、ＬＣＤ制御部１１とのインターフェースであるＵＳＢ  ＨＯＳＴ  Ｉ／Ｆ２１７と、操作制御部１２とのインターフェースであるＫＥＹ  Ｉ／Ｆ２１８と、外部ＰＣと通信するＵＳＢ（Device）２１９と、ネットワーク通信を行うＰＨＹ２０９と接続するためのＭＡＣ（論理層）２２０と、ＡＳＩＣ２１１内部、ボード電力制御部２０７および外部電力制御部２０８を制御するＰＭ（Power Management）２２１と、ＲＴＣ(Real Time Clock)２０６のインターフェース（Ｉ／Ｆ）であるＧＩＯ（General purpose Input Output）２２２と、上記夫々の部品を接続する内部バスである内部バス（Internal Bus）２３０から構成されている。
【００２２】
ＡＳＩＣ２１１内部は、電源が供給されれば電源を供給し続ける領域である電源オン領域（Power On Area）とＰＭ２２１によって電源の供給を停止可能な電源オフ領域（Power
Off Area）に別れている。電源オフ領域には、ＵＳＢ  ＨＯＳＴ  Ｉ／Ｆ２１７、ＵＳＢ（Device）Ｉ／Ｆ２１９、ＨＤＤ  Ｉ／Ｆ２１４、ＲＯＭ  Ｉ／Ｆ２１３、ＣＰＵ  Ｉ／Ｆ２１２、ＰＣＩ  Ｉ／Ｆ２１６が含まれている。
一方、電源オン領域にはＫＥＹ  Ｉ／Ｆ２１８、ＭＥＭ  Ｉ／Ｆ２１５、ＭＡＣ２２０、ＰＭ２２１、ＧＩＯ２２２が含まれている。
【００２３】
図１の画像形成装置１００の構成において、スイッチ（ＳＷ）３をオンにすると画像形成装置１００に電源が供給され、オフにすると電源の供給が停止される。電源がオンになると、電源はまずＰＳＵ４に供給される。次に、ＰＳＵ４から画像形成装置１００内部のＦＣＵ７、操作制御部１２、実行制御部２に電源が供給される。ＦＣＵ７に電源が供給されると、公衆回線（ＰＳＴＮ）とＦＡＸなどによる通信が可能になる。
【００２４】
実行制御部２にＰＳＵ４からの電源が供給されると、クロック生成部２０１、ＡＳＩＣ２１１、ＲＴＣ２０６、第１のＤＤＲ２０５、ＰＨＹ２０９、ＰＨＹクロック生成部２１０、ボード電力制御部２０７、外部電力制御部２０８、第１のリセット生成部（図示せず）に電源が供給される。
【００２５】
第１のリセット生成部に電源が供給されると、第１のリセット生成部の出力である第１のリセット信号により、ＡＳＩＣ２１１、ボード電力制御部２０７、外部電力制御部２０８が初期化される。ＡＳＩＣ２１１は第１のリセット信号によりＡＳＩＣ２１１全体が初期化され、ＡＳＩＣ２１１の電源オフ領域を含めたＡＳＩＣ２１１全体に電源が供給される。
外部電力制御部２０８が初期化されると、ＦＥＴ  Ｆ１と、ＦＥＴ  Ｆ２と、ＦＥＴ  Ｆ３がオンになり、プロッタ部６、スキャナ部５、ＬＣＤ制御部１１に電源が供給される。また、プロッタ部６の消費電力モードは通常モードに設定される。
【００２６】
ボード電力制御部２０７が初期化されると、第１のＲＯＭ２０３、ＨＤＤ２０４、第１のＣＰＵ２０２、第２のリセット生成部（図示せず）に電源を供給する。
【００２７】
第２のリセット生成部に電源が供給されると、第２のリセット信号を出力して、第１のＣＰＵ２０２、ＨＤＤ２０４、およびＡＳＩＣ２１１の電源オフ領域にあるＵＳＢ  ＨＯＳＴ  Ｉ／Ｆ２１７、ＵＳＢ（Device）  Ｉ／Ｆ２１９、ＨＤＤ  Ｉ／Ｆ２１４、ＲＯＭ  Ｉ／Ｆ２１３、ＣＰＵ  Ｉ／Ｆ２１２、ＰＣＩ  Ｉ／Ｆ２１６を再初期化する。
ボード電力制御部２０７は、ＡＳＩＣ２１１のＰＭ２２１からの通知で、実行制御部２上の第１のＲＯＭ２０３、ＨＤＤ２０４、第１のＣＰＵ２０２、第２のリセット生成部、およびＡＳＩＣ２１１内部の電源オフ領域の電源の供給を停止、または再開できる。
【００２８】
図４は、ＰＭ（Power Management）２２１内のレジスタＰ、Ｃを説明する図である。
図４Ａにおいて、レジスタは８ビット長であり、モード（４ビット）は消費電力モードを示す。モード０は電源オン時、モード１は通常モード、モード２は後述の待機モード１、モード３は後述の待機モード２、モード４は省エネモードである。図４Ｂにおいて、ビット４のＫＥＹ［４］は操作制御部１２からの入力で、ビット５は実行制御部２におけるネットワークからのデータ受信で、ビット６は実行制御部２におけるＵＳＢ（Device）２１９からのデータ受信で、消費電力モードが遷移することを示す。
【００２９】
ＰＭ２２１（Power Management）のレジスタＣは現在の消費電力モード、レジスタＰは移行前の消費電力モードを示す。
ＰＭ２２１の２つのレジスタは第１のリセット信号により初期化されて０にクリアされ、
レジスタＣ  モード＝０、ＫＥＹ＝０、ＮＥＴ＝０、ＵＳＢ＝０
レジスタＰ  モード＝０、ＫＥＹ＝０、ＮＥＴ＝０、ＵＳＢ＝０
となる。
【００３０】
第２のリセット生成部からの第２のリセット信号の出力が完了すると、第１のＣＰＵ２０２は第１のＲＯＭ２０３にある第１のプログラムを実行する。次に、第１のＣＰＵ２０２はＰＭ２２１のレジスタＣ、Ｐのモードが共に０であるので、電源オン時と判断する。
第１のＣＰＵ２０２は電源オン時と判断すると、ＨＤＤ２０４上の第２のプログラムを第１のＤＤＲ２０５上に転送する。第２のプログラムを第１のＤＤＲ２０５に転送後、第１のＤＤＲ２０５にある第２のプログラムを起動させる。第２のプログラムは第１のＤＤＲ２０５上にあるため高速でプログラムが実行可能になる。
【００３１】
第１のＤＤＲ２０５を使用するには、ＭＥＭ  Ｉ／Ｆ２１５経由でデータ転送を行う必要がある。ＭＥＭ  Ｉ／Ｆ２１５は第１のＤＤＲ２０５の制御手段であり、インターナルバス（内部バス）からのデータの読み書き、ＰＭ２２１からのメモリの２つの動作モードである通常モードとセルフ・リフレッシュモードを制御できる。
第１のプログラムによってＭＥＭ  Ｉ／Ｆ２１５を通常モードの動作に設定しておけば、第２のプログラムを第１のＤＤＲ２０５に書き込むことができる。第１のＤＤＲ２０５に第２のプログラムの転送が完了すると、第１のＣＰＵ２０２は第２のプログラムを第１のＤＤＲ２０５で実行する。
【００３２】
次に、第２のプログラムにより、ＡＳＩＣ２１１内部の電源オフ領域のＵＳＢ  ＨＯＳＴ  Ｉ／Ｆ２１７、ＵＳＢ（Device）２１９、ＰＣＩ  Ｉ／Ｆ２１６、電源オン領域のＫＥＹ  Ｉ／Ｆ２１８、ＰＭ２２１、ＭＡＣ２２０、ＧＩＯ２２２を初期設定する。
第１のＣＰＵ２０２により初期設定が完了し、消費電力モードを通常モードとするとＰＭ２２１のレジスタは、
レジスタＣ  モード＝１、ＫＥＹ＝０、ＮＥＴ＝０、ＵＳＢ＝０
レジスタＰ  モード＝０、ＫＥＹ＝０、ＮＥＴ＝０、ＵＳＢ＝０
となる。
【００３３】
ＰＭ２２１のレジスタＣのモードを１、または３に設定することにより、省エネモードから通常モードまたは後述の待機モード２に消費電力モードが移行した場合、第１のＣＰＵ２０２は第２のプログラムを実行する時に、ＡＳＩＣ２１１内部の電源オン領域を再初期化することを防ぐことができる。つまり、省エネモードから通常モードまたは待機モード２に消費電力モードが移行した場合、実行制御部２では第２のプログラムを第１のＤＤＲ２０５に転送せずに、第１のＤＤＲ２０５を通常モードに設定後は、ＡＳＩＣ２１１内部の電源オフ領域の初期化を実行するだけで実行制御部２の初期設定は完了する。
【００３４】
次に、実行制御部２でネットワークからの入力がある時の処理について説明する。
ネットワークからの入力は、実行制御部２のＡＳＩＣ２２１のＭＡＣ（論理層）２２０に画像形成装置１００宛のデータが入力されたか否かによって確認できる。画像形成装置１００宛のデータを受けたときは実行制御部２の第１のＣＰＵ２０２によって処理される。
印刷データを受信した場合、入力されたデータは実行制御部２のＡＳＩＣ２１１のＰＣＩ  Ｉ／Ｆ２１６から画像データをプロッタ部６に転送して出力し、スキャン操作を受信した場合、入力されたデータはスキャナ部５から画像データをＰＣＩ  Ｉ／Ｆ２１６経由で転送し、実行制御部２のＨＤＤ２０４に記憶する。
【００３５】
次に、実行制御部２でＵＳＢからの入力があるときの処理について説明をする。
ＵＳＢからの入力は、実行制御部２のＡＳＩＣ２１１のＵＳＢ（Device）２１９に画像形成装置１００宛のデータが入力されたか否かによって確認できる。画像形成装置１００宛のデータを受けたときは実行制御部の第１のＣＰＵ２０２によって処理される。
印刷データを受信したときは、入力されたデータは実行制御部２のＡＳＩＣ２１１のＰＣＩ  Ｉ／Ｆ２１６から画像データをプロッタ部６に転送して出力する。スキャン操作を受信した場合、入力されたデータはスキャナ部５から画像データをＰＣＩ  Ｉ／Ｆ２１６経由で転送し、実行制御部２のＨＤＤ２０４に記憶する。
【００３６】
図５は、ＬＣＤ制御部１１の構成を示すブロック図である。
図５に示すように、ＬＣＤ制御部１１は、ＬＣＤ制御部全体にクロック信号を供給するクロック生成部２０１と、ＬＣＤ制御部１１全体を制御する第２のＣＰＵ３０１と、第２のＣＰＵ３０１を動作させるための第３のプログラム及び第４のプログラムを記憶する不揮発性記憶手段である第２のＲＯＭ３０２と、第３のプログラムを動作させて第２のＲＯＭ３０２から第４のプログラムを高速に実行させるための記憶手段である第２のＤＤＲ３０３と、ＬＣＤ１０上のタッチパネルとのインターフェースであるＴＰ  Ｉ／Ｆ３０４から構成されている。タッチパネル（ＴＰ）はＬＣＤ１０に取り付けられているため図示はしていない。
【００３７】
第２のＣＰＵ３０１は、ＣＰＵコア（CORE）３０５と、第２のＲＯＭ３０２のインターフェース（Ｉ／Ｆ）であるＲＯＭ  Ｉ／Ｆと３０６と、第２のＤＤＲ３０３とのインターフェース（Ｉ／Ｆ）である第２のＭＥＭ  Ｉ／Ｆ３０７と、実行制御部２と接続するインターフェースである第２のＵＳＢ（Device）３０８と、ＴＰ  Ｉ／Ｆ３０４とのインターフェースであるＳＰＩ  ３０９と、第１の表示手段であるＬＣＤ１０とのインターフェースであるＬＣＤ  Ｉ／Ｆ３１０と、操作制御部１２とのインターフェースであるＫＥＹ  Ｉ／Ｆ３１１から構成されている。
【００３８】
また、図示していないが、第３のリセット生成手段もＬＣＤ制御部１１に搭載されており、ＦＥＴ  Ｆ３（図１）がオンとなってＰＳＵ４からの電源がＬＣＤ制御部１１に供給されれば、クロック生成部２０１からのクロック信号が第２のＣＰＵ３０１に供給される。更に、第３のリセット生成手段の出力である第３のリセット信号によりＬＣＤ制御部１１は初期化される。
初期化が終了すると第２のＣＰＵ３０１が動作し、第２のＲＯＭ３０２上にある第３のプログラムを実行する。第３のプログラムを実行し、第２のＣＰＵ３０１内部の第２のＭＥＭ  Ｉ／Ｆ３０７を初期設定すると、第２のＣＰＵ３０１は第２のＲＯＭ３０２上にあるもう一つのプログラムである第４のプログラムを、第２のＤＤＲ３０３上に転送する。第４のプログラムを第２のＤＤＲ３０３に転送後、第４のプログラムは第２のＤＤＲ３０３上で動作するので高速に第４のプログラムが実行できる。
【００３９】
第４のプログラムにより第２のＣＰＵ３０１内部のＬＣＤ  Ｉ／Ｆ３１０、ＴＰ  Ｉ／Ｆ３０４とのインターフェースであるＳＰＩ３０９、ＵＳＢ（Device）３０８、ＫＥＹ  Ｉ／Ｆ３１１が初期設定される。
ＬＣＤ  Ｉ／Ｆ３１０が初期設定されると、第２のＣＰＵ３０１により、ＬＣＤ１０に初期画面を表示する。タッチパネル１０１からの情報は、ＴＰ  Ｉ／Ｆ３０４経由でＳＰＩ３０９から第２のＣＰＵ３０１によって処理される。
【００４０】
図６は、操作制御部１２の構成を示すブロック図である。
図６に示すように、操作制御部１２は、操作部１の操作パネル上の複数のキー入力を受け付けるキー入力受付手段４０１と、画像形成装置１００の第２の表示手段である操作パネルの表示手段（ＬＥＤ）４０２と、音声情報を出力する音声出力手段４０３と、実行制御部２またはＬＣＤ制御部１１との接続を行うインターフェース手段４０４と、操作制御部１２全体を制御する制御手段である第３のＣＰＵ４０５と、第３のＣＰＵ４０５を実行させるための第５のプログラム等を記憶する不揮発性記憶手段である第３のＲＯＭ４０６と、操作制御部１２を実行させるために必要なデータを記憶する記憶手段である第３のＲＡＭ（Random Access Memory）４０７から構成されている。
【００４１】
キー入力受付手段４０１は、キー入力があると、押されたキーのチャッタリングの除去を行ってから第３のＣＰＵ４０５に通知する。不揮発性記憶手段である第３のＲＯＭ４０６は、フラッシュ・ロムを用いることができる。また、第３のＣＰＵ４０５としては、第３のＲＯＭ４０６、ＲＡＭ４０７、インターフェース手段４０４を搭載したワンチップマイコンを用いることができる。
【００４２】
図７は、実行制御部２またはＬＣＤ制御部１１と操作制御部１２の接続手段であるインターフェースについて説明する図である。
図７において、実行制御部２またはＬＣＤ制御部１１のＫＥＹ  Ｉ／Ｆ３１１は１２Ｃ  Ｉ／Ｆ（シリアルバスインターフェース）５０１とＧＩＯ５０２からなり、ＫＥＹ  Ｉ／Ｆ３１１の１２Ｃ  Ｉ／Ｆ５０１はマスター（master）動作をする。
操作制御部１２のインターフェース手段４０４は、１２Ｃ  Ｉ／Ｆ５０３とＧＩＯ５０４からなり、操作制御部１２の１２Ｃ  Ｉ／Ｆ５０３はスレーブ（slave）動作をする。１２Ｃ  Ｉ／Ｆ５０３と１２Ｃ  Ｉ／Ｆ５０１はＳＣＬ（クロックライン）とＳＤＡ（データライン）の２本の信号で通信を行っており、ＧＩＯ５０４とＧＩＯ５０２はキー入力信号ＫＥＹＲＥＱ＿Ｎにより接続されている。操作制御部１２側で操作部１からのキー入力を確認したら、キー入力信号ＫＥＹＲＥＱ＿Ｎをアクティブにして、実行制御部２またはＬＣＤ制御部１１にキー入力情報があることを伝える。
【００４３】
操作制御部１２に電源が供給されると、操作制御部１２内の第３のリセット生成手段（図示せず）によりリセット信号が生成され、操作制御部１２は初期化される。リセット信号により初期化が行われるとインターフェース手段４０４の初期化が行われ、操作制御部１２のインターフェース手段４０４のＧＩＯ５０４の出力信号であるキー入力信号ＫＥＹＲＥＱ＿Ｎをインアクティブにする。また、操作制御部１２の制御手段である第３のＣＰＵ４０５は、初期化が行われると第３のＲＯＭ４０６上にある第３のプログラムを実行する。
【００４４】
また、操作制御部１２上の各ＬＥＤは実行制御部２からの指示により制御される。実行制御部２のインターフェースであるネットワークまたはＵＳＢ（Device）２１９（図３）にデータが入力されると、実行制御部２の第１のＣＰＵ２０２により操作制御部１２にＤａｔａ  ＩＮ  ＬＥＤ２１（図２）の点滅のコマンドが送信される。
実行制御部２のＫＥＹ  Ｉ／Ｆ２１８は、Ｉ２Ｃ  Ｉ／Ｆ５０１（図７）のマスター動作を行い、操作制御部１２のインターフェース手段４０４であるＩ２Ｃ  Ｉ／Ｆ  スレーブ５０３にコマンドを送る。操作制御部１２の第３のＣＰＵ４０５はコマンドを解釈し、Ｄａｔａ  ＩＮ  ＬＥＤ２１の点滅制御を行うことで、Ｄａｔａ  ＩＮ  ＬＥＤ２１が点滅する。
【００４５】
例えば、画像形成装置１００内部にエラーが発生すると、Ｄａｔａ  ＩＮ  ＬＥＤ２１の点滅動作と同様に、実行制御部２の第１のＣＰＵ２０２によって操作制御部１２にエラー（Error）ＬＥＤ２２が点滅のコマンドが送信され、エラーＬＥＤ２２が点滅する。また、後述する消費電力モード毎に操作制御部１２にパワー（Power）ＬＥＤ２０への制御コマンドが送信されて、パワーＬＥＤ２０が点灯、点滅動作、輝度変化動作するような制御を操作制御部１２によって行う。
後述する実行制御部２の消費電力モードが、通常モード、待機モード１のときはパワーＬＥＤ２０を点灯、待機モード２のときはパワーＬＥＤ２０を点滅動作、省エネモードのときはパワーＬＥＤ２０の輝度変化動作をさせる。輝度変化動作は、例えば、第３のＣＰＵ４０５によりパワーＬＥＤ２０の輝度を電力消費が少ないＰＷＭ（Pulse Width Modulation）制御により変化させればよい。
【００４６】
操作部１の操作パネルのキー入力検知は操作制御部１２で行う。操作部１のパネル上のいずれかのキーが押されたか否かは、図６に示す操作制御部１２のキー入力受付手段４０１と第３のＣＰＵ４０５によって検知できる。いずれかのキーが押された場合は、第３のＣＰＵ４０５はインターフェース手段４０４にあるキー入力信号であるＫＥＹＲＥＱ＿Ｎ信号をアクティブにして、操作制御部１２側からキー入力があることをＬＣＤ制御部１１または実行制御部２側に伝える。
【００４７】
ＬＣＤ制御部１１側ではＧＩＯ５０２でキー入力信号ＫＥＹＲＥＱ＿Ｎがアクティブなったことを検出すると、第２のＣＰＵ３０１は、操作制御部１２側にキー入力があったと判断する。キー入力があると第２のＣＰＵ３０１が判断すると、ＫＥＹ  Ｉ／Ｆ３１１にあるＩ２Ｃ  Ｉ／Ｆ  マスター５０１側から、操作制御部１２側に押されたキーのデータを転送する旨のコマンドを送付する。
操作制御部１２側は、Ｉ２Ｃ  Ｉ／Ｆ  スレーブ５０３でキーのデータ転送コマンドを受信すると、押されたキーのデータをＩ２Ｃ  Ｉ／Ｆ  スレーブ５０３経由でＩ２Ｃ  マスター５０１に転送する。Ｉ２Ｃ  Ｉ／Ｆ  マスター５０１に転送された押されたキーのデータは第２のＣＰＵ３０１によって処理される。
【００４８】
このように、操作部１のパネルで押されたキーのデータはＬＣＤ制御部１１で処理することができる。ＬＣＤ制御部１１で検知したキー入力情報に従って、操作部１の操作画面の情報を更新する場合は、第２のＣＰＵ３０１によって第２のＤＤＲ３０３上の操作画面データを更新する。第２のＤＤＲ３０３上の操作画面データが更新されると、ＬＣＤ  Ｉ／Ｆ３１０を介してＬＣＤ１０に画面情報を転送して、ＬＣＤ１０上に更新した画面を表示することができる。
【００４９】
例えば、操作部１のパネル上のＣＯＰＹキー１６が押下されていれば、ＬＣＤ１０上にはコピー画面が表示される。操作パネルからコピーの部数がテンキーで指定され、スタート（Start）キー２３が押下されると、ＬＣＤ制御部１１ではコピージョブが認識される。コピージョブが認識されると、ＬＣＤ制御部１１のＵＳＢ  Ｉ／Ｆ３０８のインターフェース経由で実行制御部２にコピージョブがあることを伝え、実行制御部２ではＵＳＢ  ＨＯＳＴ  Ｉ／Ｆ２１７経由でＬＣＤ制御部２のコピージョブを検知する。
実行制御部２でコピージョブを検知すると、実行制御部２のＰＣＩ  Ｉ／Ｆ２１６経由で画像形成装置１００内部のスキャナ部５、プロッタ部６を制御し、コピー動作を行う。実行制御部２にキー入力があることを伝えると、実行制御部２のＡＳＩＣ２１１内部のＫＥＹ  Ｉ／Ｆ２１８にあるＧＩＯ５０２で検知して、実行制御部２のＡＳＩＣ２１１内部のＰＭ２２１に通知する。
【００５０】
図８は、本実施形態の消費電力モードの移行について説明する図である。
図８において、電源スイッチのオンで消費電力モードは通常モードになる（Ｓ１０）。通常モードでは画像形成装置１００全体に電源が供給されるため、画像形成装置１００の全ての機能が使用でき、操作部１のキー操作、操作部１のＬＣＤ画面１０の表示が行われる。更に、通常モードではＦＡＸ通信、コピー動作、スキャン動作、印刷動作ができる。コピー動作は操作制御部１２からの操作により行われる。スキャン、印刷動作は実行制御部２のネットワーク又は実行制御部２のＵＳＢ（Device）２１９のインターフェースから外部機器より画像形成装置１００宛に指示が行われた場合に行われる。
【００５１】
通常モードから待機モード１への遷移（Ｓ１１）は、操作制御部１２で操作がなく、プロッタ部６、スキャナ部５での処理が終了してから実行制御部２にあるタイマーが予め設定してある時間Ｔ１１が経過する場合に発生する。タイマーはＲＴＣ２０６（図３）で動作する。
予め所定時間Ｔ１１を実行制御部２の第１のＣＰＵ２０２により実行制御部２のＡＳＩＣ２１１内部のＧＩＯ２２２を介して設定しておくと、所定時間Ｔ１１が経過するとＲＴＣ２０６からＧＩＯ２２２に通知が行われる。
ＧＩＯ２２２はＲＴＣ２０６からの通知を受け取るとＰＭ２２１に通知し、ＰＭ２２１はＧＩＯ２２２からの通知を受け取ると所定時間Ｔ１１の経過を知ることができる。更に、ＰＭ２２１から第１のＣＰＵ２０２に割り込み等で通知が行われれば第１のＣＰＵ２０２も所定時間Ｔ１１の経過を確認することができる。
【００５２】
待機モード１ではプロッタ部６をスタンバイモードにしておく。実行制御部２の第１のＣＰＵ２０２によりＰＭ２２１にプロッタ部６がスタンバイモードになるコマンドを送る。ＰＭ２２１はプロッタ部６がスタンバイモードになるコマンドを受け取ると、外部電源制御部２０８を介してプロッタ部６の消費電力モードをスタンバイモードに設定する。
待機モード１ではＬＣＤ制御部１１には電力が供給されているが、ＬＣＤ１０の表示を消す。ＬＣＤ制御部１１よってＬＣＤ１０の表示を消す制御をするので通常モードより消費電力が小さい。プロッタ部６、ＬＣＤ１０以外の電力は通常モードと同じである。
【００５３】
消費電力モードが待機モード１のときに外部機器からネットワーク、ＵＳＢ（Device）経由で画像形成装置１００宛のデータを受けたとき、待機モード１で処理を行う。画像形成装置１００宛のデータが印刷データの場合は、実行制御部２の第１のＣＰＵ２０２で処理し、ＰＣＩ  Ｉ／Ｆ２１６経由で画像データをプロッタ部６に転送して、画像をプロッタ部６から出力する。
【００５４】
待機モード１では、プロッタ部６がスタンバイモードになっているため、画像の出力は通常モードよりも時間を要する。この際に、実行制御部２の第１のＣＰＵ２０２によりＰＭ２２１にプロッタ部６が通常モードになるコマンドを送り、プロッタ部６の消費電力モードは通常モードとなり、画像をプロッタ部６から出力することができる。
待機モード１で画像をプロッタ部６から出力後、実行制御部２の第１のＣＰＵ２０２によりＰＭ２２１にプロッタ部６がスタンバイモードになるコマンドを送る。プロッタ部６の消費電力モードはスタンバイモードとなり、画像形成装置１００は待機モード１の消費電力モードのままである。
画像形成装置１００宛のデータがスキャナを使用するデータの場合は、待機モード１のままスキャナ動作を行い、スキャンした画像データをＨＤＤ２０４に記憶させる。
【００５５】
待機モード１から通常モードへの遷移（Ｓ１２）は操作部のキー、例えばパワーキーが押下された場合などにより行われる。操作部１の操作パネル上のいずれかのキーが押されたか否かは、操作制御部１２のキー入力受付手段４０１（図６）と第３のＣＰＵ４０５で検知できる。いずれかのキーが押されたときは、第３のＣＰＵ４０５はインターフェース手段４０４にあるキー入力信号であるＫＥＹＲＥＱ＿Ｎ信号をアクティブにする。消費電力モードが待機モード１のときに、操作制御部１２側からキー入力があったことを実行制御部２に伝える。
【００５６】
実行制御部２側では、ＡＳＩＣ２１１のＫＥＹ  Ｉ／Ｆ２１８にあるＧＩＯ５０２でキー入力信号ＫＥＹＲＥＱ＿Ｎがアクティブなったことを検出すると、それを実行制御部２のＡＩＳＣ２１１のＰＭ２２１に伝える。ＰＭ２２１は操作制御部１２でキー入力があったことを検知すると、外部電力制御部２０８からプロッタ部６に消費電力モードをスタンバイモードから通常モードにするコマンドを送信する。プロッタ部６は消費電力モードを通常モードにするコマンドを受け取ると、プロッタ部６の消費電力モードを通常モードに設定する。また、実行制御部２の第１のＣＰＵ２０２によりＰＭ２２１の消費電力モードを待機モード１から通常モードに設定する。
【００５７】
待機モード１から待機モード２への遷移（Ｓ１３）又は通常モードから待機モード２への遷移（Ｓ１７）は、操作制御部１２で操作がなく、プロッタ部６、スキャナ部５での処理が終了してから実行制御部２にあるタイマーが予め設定してある時間Ｔ１２が経過したときに行う。
待機モード２は、待機モード１の状態でＬＣＤ制御部１１に電力を供給しないモードである。従って、待機モード２はＬＣＤ１０、及びＬＣＤ制御部１１に電源を供給しないため、待機モード１よりも消費電力が小さい消費電力モードである。待機モード２では待機モード１と同様にプロッタ部６の消費電力をスタンバイモードにする。
【００５８】
電力供給を開始するときは、実行制御部２の第１のＣＰＵ２０２によりＰＭ２２１にプロッタ部６、スキャナ部５に電源供給を開始するコマンドを送る。ＰＭ２２１はプロッタ部６、スキャナ部５の電力供給再開コマンドを受け取ると、ＦＥＴ  Ｆ１及びＦＥＴ  Ｆ２をオンする。ＦＥＴ  Ｆ１及びＦＥＴ  Ｆ２はオンになると、プロッタ部６、スキャナ部５に電力供給を開始する。
待機モード１から待機モード２への遷移ではＦＥＴ  Ｆ１及びＦＥＴ  Ｆ２はオンのままである。実行制御部２の第１のＣＰＵ２０２によりＰＭ２２１にプロッタ部６がスタンバイモードになるコマンドを送信し、ＰＭ２２１はプロッタ部６がスタンバイモードになるコマンドを受け取ると、外部電源制御部２０８を介してプロッタ部６の消費電力モードをスタンバイモードに設定する。
【００５９】
待機モード１から待機モード２への遷移ではプロッタ部６はスタンバイモードのままである。その際に、実行制御部２の第１のＣＰＵ２０２によりＰＭ２２１にＬＣＤ制御部１１の電源供給を停止するコマンドを送り、ＰＭ２２１はＬＣＤ制御部１１の電源供給を停止するコマンドを受け取ると外部電力制御部２０８を介しＦＥＴ  Ｆ３をオフする。ＦＥＴ  Ｆ３をオフするとＬＣＤ制御部１１への電力供給は停止する。ＬＣＤ制御部１１への電力供給が停止するとＬＣＤ１０への電力供給も停止する。
消費電力モードが待機モード２の時に、外部機器からネットワーク、ＵＳＢ（Device）２１９経由に画像形成装置１００宛のデータを受けたとき、待機モード２の状態でその処理を行う。
【００６０】
画像形成装置１００宛のデータが印刷データの場合は、実行制御部２の第１のＣＰＵ２０２で処理後、ＰＣＩ  Ｉ／Ｆ２１６経由で画像データをプロッタ部６に転送して、画像をプロッタ部６から出力する。待機モード２では待機モード１と同様にプロッタ部６はスタンバイモードになっているため、画像の出力は通常モードよりも時間を要する。その際、実行制御部２の第１のＣＰＵ２０２により、ＰＭ２２１にプロッタ部６が通常モードになるコマンドを送信し、それによって、プロッタ部６の消費電力モードを通常モードにして画像をプロッタ部６から出力することができる。
【００６１】
待機モード２で画像をプロッタ部６から出力後、実行制御部２の第１のＣＰＵ２０２によりＰＭ２２１にプロッタ部６がスタンバイモードになるコマンドを送信すると、プロッタ部６の消費電力モードはスタンバイモードとなり、画像形成装置１００は待機モード２の消費電力モードのままになる。
画像形成装置１００宛のデータがスキャナを使用するデータのときは、待機モード２のままスキャナ動作を行い、スキャンした画像をＨＤＤ２０４に記憶する。
【００６２】
待機モード２から通常モードへの遷移（Ｓ１４）は、待機モード１と同様に、操作部１のキー、例えば、パワーキー２０が押下された場合などに発生する。実行制御部２側では、ＡＳＩＣ２１１のＫＥＹ  Ｉ／Ｆ２１８にあるＧＩＯ５０２でキー入力信号ＫＥＹＲＥＱ＿Ｎがアクティブなったことを検出すると、実行制御部２のＡＩＳＣ２１１のＰＭ２２１にその信号を伝える。ＰＭ２２１は操作制御部１１でキー入力があったことを検知すると、外部電力制御部２０８からプロッタ部６に消費電力モードをスタンバイモードから通常モードにするコマンドを送信する。プロッタ部６は消費電力モードを通常モードにするコマンドを受け取ると、プロッタ部６の消費電力モードを通常モードに設定する。
【００６３】
更に、実行制御部２の第１のＣＰＵ２０２によりＰＭ２２１にＬＣＤ制御部１１に電力供給を再開するコマンドを送信し、ＰＭ２２１はＬＣＤ制御部１１に電力供給再開のコマンドを受け取ると、外部電力制御部２０８を介しＦＥＴ  Ｆ３をオンする。ＦＥＴ  Ｆ３がオンになると、ＬＣＤ制御部１１への電力供給が再開する。ＬＣＤ制御部１１に電力が供給されるとＬＣＤ１０にも電力が供給される。また、実行制御部２の第１のＣＰＵ２０２によりＰＭ２２１の消費電力モードを待機モード２から通常モードに設定する。
【００６４】
待機モード２から省エネモードへの遷移（Ｓ１５）は、予め設定してある時間Ｔ１３が経過したときに行う。待機モード１が一定時間Ｔ１２が経過しときは待機モード２へ、待機モード２が一定時間Ｔ１３が経過ときは省エネモードに移行する。タイマー機能はＲＴＣ２０６に内蔵された機能の一部を使用する。
省エネモードは待機モード２より更に消費電力が小さいモードである。省エネモードでは更にプロッタ部６、スキャナ部５、更に実行制御部２の電源オフ領域の電源の供給を停止する。また、実行制御部２のＡＳＩＣ２１１内部にある電源オフ領域の電源の供給も停止する。更に、第１のＤＤＲ２０５をリフレッシュ動作を自律的に行うためのセルフ・リフレッシュモードにすることにより、省エネモード時の消費電力を大幅に小さくすることができる。
【００６５】
第１のＣＰＵ２０２はＭＥＭ  Ｉ／Ｆ２１５を介して第１のＤＤＲ２０５にセルフ・リフレッシュモードに移行するための設定を行う。第１のＤＤＲ２０５をセルフ・リフレッシュモードに移行させるために、実行制御部２の第１のＣＰＵ２０２から実行制御部２のＭＥＭ  Ｉ／Ｆ２１５に第１のＤＤＲ２０５がセルフ・リフレッシュになるコマンドを発行する。実行制御部２のＭＥＭ  Ｉ／Ｆ２１５が第１のＤＤＲ２０５にセルフ・リフレッシュのコマンドの発行が完了すると、第１のＤＤＲ２０５が低消費電力モードに移行したことをＭＥＭ  Ｉ／Ｆ２１５がＰＭ２２１に通知する。ＰＭ２２１は、第１のＤＤＲ２０５が低消費電力モードに移行したときは、画像形成装置１００内部の電源を部分的にオフする。
【００６６】
ＰＭ２２１は外部電力制御部２０８、ボード電力制御部、更にＡＳＩＣ２１１内部の電源を制御する。ＰＭ２２１は外部電力制御部２０８を介してＦＥＴ  Ｆ１、ＦＥＴ  Ｆ２をオフしてプロッタ部６とスキャナ部５の電力供給を停止させる。また、ＦＥＴ  Ｆ３をオフしてＬＣＤ制御部１１への電力供給も停止すると同時にＬＣＤ１０への電力供給も停止する。それによって、消費電力モードを待機モード２から省エネモードに移行させるので、ＬＣＤ制御部１１、ＬＣＤ１０への電力の供給は停止したままである。
ボード電力制御部２０７では、クロック生成部２０１、ＨＤＤ２０４、第１のＲＯＭ２０３、第１のＣＰＵ２０２、第２のリセット生成手段（図示せず）への電源の供給を停止する。更に、ＰＭ２２１は実行制御部２のＡＳＩＣ２１１内部の電源オフ領域であるＵＳＢ  ＨＯＳＴ  Ｉ／Ｆ２１７、ＵＳＢ（Device）２１９、ＨＤＤ  Ｉ／Ｆ２１４、ＲＯＭ  Ｉ／Ｆ２１３、ＣＰＵ  Ｉ／Ｆ２１２、ＰＣＩ  Ｉ／Ｆ２１６への電源供給も停止する。
【００６７】
このようにして、画像形成装置１００の消費電力は省エネモードになる。省エネモード中は操作制御部１２には電源が供給されているが、第１のＣＰＵ２０２よりも操作制御部１２の制御手段である第３のＣＰＵ４０５の消費電力は大幅に少ないため、第３のＣＰＵ４０５が動作していても消費電力を少なくすることができる。
【００６８】
消費電力モードが省エネモードから通常モードへの遷移（Ｓ１６）は、待機モード１同様に、操作部１のキー、例えば、パワーキー２０が押下された場合などに行う。実行制御部２側ではＡＳＩＣ２１１のＫＥＹ  Ｉ／Ｆ２１８にあるＧＩＯ５０２でキー入力信号ＫＥＹＲＥＱ＿Ｎがアクティブになったことを検出すると、実行制御部２のＡＩＳＣ２１１のＰＭ２２１にその信号を伝える。省エネモード時にＰＭ２２１は、操作制御部１２でキー入力があったことを検知すると、外部電力制御部２０８、ボード電力制御部２０７及びＭＥＭ  Ｉ／Ｆ２１５に消費電力モードを通常モードに設定するコマンドを送信する。コマンドを受け取った外部電力制御部２０８は、ＦＥＴ  Ｆ１、ＦＥＴ  Ｆ２、ＦＥＴ  Ｆ３をオンし、プロッタ部６の消費電力モードを通常モードにするコマンドを送信する。
【００６９】
ＦＥＴ  Ｆ１がオンになりプロッタ部６に電力が供給され、プロッタ部６の消費電力モードを通常モードにするコマンドを受け取ると、プロッタ部６は消費電力モードを通常モードにして動作する。ＦＥＴ  Ｆ２がオンになると、スキャナ部５が動作し、ＦＥＴ  Ｆ３がオンになると、ＬＣＤ制御部１１、ＬＣＤ１０への電力供給が再開する。ボード電力制御部２０７では実行制御部２の電源オフ領域にある第１のＲＯＭ２０３、ＨＤＤ２０４、第１のＣＰＵ２０２、第２のリセット生成手段（図示せず）に電力供給を再開する。また、ＡＳＩＣ２１１内部の電源オフ領域のＵＳＢ  ＨＯＳＴ  Ｉ／Ｆ２１７、ＵＳＢ  （Device）２１９、ＲＯＭ  Ｉ／Ｆ２１３、ＨＤＤ  Ｉ／Ｆ２１４、ＣＰＵ  Ｉ／Ｆ２１２、ＰＣＩ  Ｉ／Ｆ２１６にも電力供給が再開される。
【００７０】
第２のリセット生成手段（図示せず）に電力供給が再開されると第２のリセット信号が出力されて、実行制御部２の電源オフ領域にあるＨＤＤ２０４、第１のＣＰＵ２０２、ＡＳＩＣ２１１内部の電源オフ領域のＵＳＢ  ＨＯＳＴ  Ｉ／Ｆ２１７、ＵＳＢ  （Device）２１９、ＲＯＭ  Ｉ／Ｆ２１３、ＨＤＤ  Ｉ／Ｆ２１４、ＣＰＵ  Ｉ／Ｆ２１２、ＰＣＩ  Ｉ／Ｆ２１６が初期化される。
ＭＥＭ  Ｉ／Ｆ２１５はＰＭ２２１から通常モードに移行するコマンドを受け取ると、ＭＥＭ  Ｉ／Ｆ２１５は第１のＤＤＲ２０５のセルフ・リフレッシュモードを解除して、通常動作モードに設定する。
【００７１】
第２のリセット信号により初期化が終了すると第１のＣＰＵ２０２が動作する。省エネモードから通常モードに復帰した場合、第１のＣＰＵ２０２は第１のＤＤＲ２０５上で第２のプログラムを実行する。また、実行制御部２の第１のＣＰＵ２０２によりＰＭ２２１の消費電力モードを待機モード２から通常モードに設定する。
【００７２】
次に、消費電力モードが省エネモードから待機モード２への遷移（Ｓ１８）について説明する。省エネモード時に、外部機器からネットワーク経由で画像形成装置１００宛のデータが来たときは、画像形成装置１００は待機モード２の状態で処理を行う。その際に、外部機器からネットワーク経由で画像形成装置１００宛のデータが来たことを、実行制御部２のＡＳＩＣ２１１内部のＭＡＣ２２０からＰＭ２２１に伝える。省エネモード時にＰＭ２２１はネットワーク経由で画像形成装置１００宛のデータが来たことを検知すると、外部電力制御部２０８、ボード電力制御部２０７及びＭＥＭ  Ｉ／Ｆ２１５に消費電力モードを待機モード２に設定するコマンドを送る。コマンドを受け取った外部電力制御部２０８はＦＥＴ  Ｆ１及びＦＥＴ  Ｆ２をオンし、プロッタ部６の消費電力モードをスタンバイモードにするコマンドを送信する。
【００７３】
ＦＥＴ  Ｆ１がオンになりプロッタ部６に電力が供給され、プロッタ部６の消費電力モードをスタンバイモードにするコマンドをプロッタ部６が受け取ると、プロッタ部６は消費電力モードをスタンバイモードにして動作する。ＦＥＴ  Ｆ２がオンになりスキャナ部５は動作するが、ＦＥＴ  Ｆ３はオフのままなので、ＬＣＤ制御部１１、ＬＣＤ１０への電力供給は停止したままである。
ボード電力制御部２０７では実行制御部２の電源オフ領域にある第１のＲＯＭ２０３、ＨＤＤ２０４、第１のＣＰＵ２０２、第２のリセット生成手段（図示せず）に電力供給を再開する。また、ＡＳＩＣ２１１内部の電源オフ領域のＵＳＢ  ＨＯＳＴ  Ｉ／Ｆ２１７、ＵＳＢ  （Device）２１９、ＲＯＭ  Ｉ／Ｆ２１３、ＨＤＤ  Ｉ／Ｆ２１４、ＣＰＵ  Ｉ／Ｆ２１２、ＰＣＩ  Ｉ／Ｆ２１６にも電力供給が再開される。
【００７４】
第２のリセット生成手段に電力供給が再開されると第２のリセット信号が出力されて、実行制御部２の電源オフ領域にあるＨＤＤ２０４、第１のＣＰＵ２０２、ＡＳＩＣ２１１内部の電源オフ領域のＵＳＢ  ＨＯＳＴ  Ｉ／Ｆ２１７、ＵＳＢ（Device）２１９、ＲＯＭ  Ｉ／Ｆ２１３、ＨＤＤ  Ｉ／Ｆ２１４、ＣＰＵ  Ｉ／Ｆ２１２、ＰＣＩ  Ｉ／Ｆ２１６が初期化される。
ＭＥＭ  Ｉ／Ｆ２１５はＰＭ２２１から通常モードに移行するコマンドを受け取ると、ＭＥＭ  Ｉ／Ｆ２１５は第１のＤＤＲ２０５のセルフ・リフレッシュモードを解除して、通常動作モードに設定する。
【００７５】
第２のリセット信号により初期化が終了すると第１のＣＰＵ２０２が動作する。省エネモードから待機モード２に復帰した場合、第１のＣＰＵ２０２は第１のＤＤＲ２０５上で第２のプログラムを実行する。また、実行制御部２の第１のＣＰＵ２０２によりＰＭ２２１の消費電力モードを省エネモードから待機モード２に設定する。
【００７６】
このように、省エネモードから待機モード２に消費電力モードを移行した後に、外部機器からネットワーク経由で画像形成装置１００宛に来たデータの処理は第１のＣＰＵ２０２で行う。
【００７７】
各消費電力モードは実行制御部２のＡＳＩＣ２１１内部のＰＭ２２１にあるレジスタで管理する。図４に関連して既に説明したように、ＰＭ２２１（Power Management）の２つのレジスタＰ、Ｃのうち、レジスタＣは現在の消費電力モード、レジスタＰは移行前の消費電力モードを示す。また、モード０は電源オン時、モード１は通常モード、モード２は後述の待機モード１、モード３は後述の待機モード２、モード４は省エネモードである。
消費電力モードが通常モード時、実行制御部２で何らかの処理がされれば、以下のようにレジスタＣ、Ｐのモードの値を同じにする。
レジスタＣ  モード＝１、ＫＥＹ＝０、ＮＥＴ＝０、ＵＳＢ＝０
レジスタＰ  モード＝１、ＫＥＹ＝０、ＮＥＴ＝０、ＵＳＢ＝０
通常モード時に実行制御部２で処理が行われても、上記レジスタＣ、ＰのＫＥＹ、ＮＥＴ、ＳＢのビットは０のままにしておく。また、消費電力モードが、所定時間が経過して低消費電力モードになる場合も、上記レジスタＣ、ＰのＫＥＹ、ＮＥＴ、ＵＳＢのビットは０のままである。
【００７８】
消費電力モードが通常モードから待機モード１になると（図８：Ｓ１１、移行要因はタイマーなど）、
レジスタＣ  モード＝２、ＫＥＹ＝０、ＮＥＴ＝０、ＵＳＢ＝０
レジスタＰ  モード＝１、ＫＥＹ＝０、ＮＥＴ＝０、ＵＳＢ＝０
となる。レジスタＰのモードは１であるので通常モードから待機モード１に移行したことが分かる。
【００７９】
消費電力モードが待機モード１から通常モードになると（Ｓ１２、移行要因は操作部１のキー入力）、
レジスタＣ  モード＝１、ＫＥＹ＝０、ＮＥＴ＝０、ＵＳＢ＝０
レジスタＰ  モード＝２、ＫＥＹ＝１、ＮＥＴ＝０、ＵＳＢ＝０
となる。レジスタＰのモードは２であるので操作部のキー入力の要因で待機モード１から通常モードに移行したことが分かる。
【００８０】
消費電力モードが待機モード１から待機モード２になると（Ｓ１３、移行要因はタイマー）、
レジスタＣ  モード＝３、ＫＥＹ＝０、ＮＥＴ＝０、ＵＳＢ＝０
レジスタＰ  モード＝２、ＫＥＹ＝０、ＮＥＴ＝０、ＵＳＢ＝０
となる。
【００８１】
消費電力モードが待機モード２から通常モードになると（Ｓ１４、移行要因は操作部１のキー入力）、
レジスタＣ  モード＝１、ＫＥＹ＝０、ＮＥＴ＝０、ＵＳＢ＝０
レジスタＰ  モード＝３、ＫＥＹ＝１、ＮＥＴ＝０、ＵＳＢ＝０
となる。レジスタＰのモード＝３、ＫＥＹ＝１であるので操作部のキー入力の要因で待機モード２から通常モードに移行したことが分かる。
【００８２】
消費電力モードが待機モード２から省エネモードになると（Ｓ１５、移行要因はタイマー）、
レジスタＣ  モード＝４、ＫＥＹ＝０、ＮＥＴ＝０、ＵＳＢ＝０
レジスタＰ  モード＝３、ＫＥＹ＝０、ＮＥＴ＝０、ＵＳＢ＝０
となる。省エネモード時は、実行制御部２の第１のＣＰＵ２０２の電源がオフになるので、ＰＭ２２１自身でＰＭ２２１内のレジスタＣのモードを省エネモードの４に設定する。
【００８３】
消費電力モードが省エネモードから通常モードになると（Ｓ１６、移行要因は操作部１のキー入力）、
レジスタＣ  モード＝１、ＫＥＹ＝０、ＮＥＴ＝０、ＵＳＢ＝０
レジスタＰ  モード＝４、ＫＥＹ＝１、ＮＥＴ＝０、ＵＳＢ＝０
となる。レジスタＰのモードが４であるので操作部のキー入力の要因で省エネモードから通常モードに移行したことが分かる。
【００８４】
消費電力モードが省エネモードから待機モード２になると（Ｓ１８、移行要因はネットワークからのデータ受信）、
レジスタＣ  モード＝３、ＫＥＹ＝０、ＮＥＴ＝０、ＵＳＢ＝０
レジスタＰ  モード＝４、ＫＥＹ＝０、ＮＥＴ＝１、ＵＳＢ＝０
となる。レジスタＰのモードが４であるのでネットワークから画像形成装置１００宛のデータ入力の要因で省エネモードから待機モード２に移行したことが分かる。
【００８５】
消費電力モードが通常モードより低い消費電力である待機モード１、待機モード２、及び省エネモード時に、操作部１からのキー入力で消費電力モードが通常モードになる場合は、レジスタＰが以下の場合である。
レジスタＰ  モード＝２、ＫＥＹ＝１、ＮＥＴ＝０、ＵＳＢ＝０
レジスタＰ  モード＝３、ＫＥＹ＝１、ＮＥＴ＝０、ＵＳＢ＝０
レジスタＰ  モード＝４、ＫＥＹ＝１、ＮＥＴ＝０、ＵＳＢ＝０
このとき、レジスタＣは消費電力モードが通常モードであるので、
レジスタＣ  モード＝１、ＫＥＹ＝０、ＮＥＴ＝０、ＵＳＢ＝０
である。
消費電力モードが通常モード（モード＝１）時に実行制御部２で操作部１のキー入力からの指示で、操作部１の設定やコピー動作が行われる。操作部１の操作の終了またはコピー動作の終了後、所定時間Ｔ１４が経過すると、通常モード移行前の消費電力状態がレジスタＰより、通常モードより低い消費電力である待機モード１、待機モード２、省エネモードであることが分かるので、消費電力モードを待機モード２に設定する。即ち、レジスタＣは、
レジスタＣ  モード＝３、ＫＥＹ＝０、ＮＥＴ＝０、ＵＳＢ＝０
と設定する。
【００８６】
時間Ｔ１１≧Ｔ１４の場合、上記ステップＳ１１（図８）の遷移よりもステップＳ１７の遷移を優先するように実行制御部の第１のＣＰＵ２０２で制御する。一方、時間Ｔ１１＜Ｔ１４の場合、ステップＳ１７の遷移よりもステップＳ１１の遷移を優先するように実行制御部２の第１のＣＰＵ２０２で制御する。
なお、時間Ｔ１１、Ｔ１２、Ｔ１３、Ｔ１４の所定時間は通常モード時に操作部１によって設定することができる。
【００８７】
本実施形態によれば、待機モード２ではＬＣＤ制御部１１、ＬＣＤ１０の電力供給を停止するので、消費電力を待機モード１より削減することができる。そのため、省エネモードからの復帰が通常モードではなく、待機モード２であるので外部機器との通信を通常モードより消費電力を削減して行うことができる。
また、待機モード１から通常モードに移行後も、待機モード１を経由せずに待機モード２に移行するので、待機モード１の消費電力を消費しないため消費電力を削減でき、かつ省エネモードよりも待機モード２の方が、復帰時間が速いのでユーザーに使い勝手のよい消費電力モードを提供できる。
【００８８】
また、待機モード２から通常モードに移行後、待機モード１を経由せずに待機モード２に移行するので、待機モード１よりも消費電力を消費しないため消費電力を削減でき、省エネモードよりも待機モード２の方が復帰時間が速いのでユーザーに使い勝手のよい消費電力モードを提供することができる
更に、省エネから通常モードに移行後、待機モード１を経由せずに待機モード２に移行するので、待機モード１の消費電力を消費しないため消費電力を削減でき、かつ省エネモードよりも待機モード２の方が復帰時間が速いのでユーザーに使い勝手のよい消費電力モードを提供することができる。
【符号の説明】
【００８９】
１・・・操作部、２・・・実行制御部、３・・・ＳＷ（スイッチ）、４・・・ＰＳＵ、５・・・スキャナ部、６・・・プロッタ部、７・・・ＦＣＵ、８・・・外部電源、１０・・・ＬＣＤ、１１・・・ＬＣＤ制御部、１２・・・操作制御部、１４・・・キー（ＫＥＹ）、１００・・・画像形成装置、２０１・・・クロック生成部、２０２・・・第１のＣＰＵ、２０３・・・第１のＲＯＭ、２０４・・・ＨＤＤ、２０５・・・第１のＤＤＲ、２０６・・・ＲＴＣ、２０７・・・ボード電力制御部、２０８・・・外部電力制御部、２０９・・・ＰＨＹ、２１０・・・ＰＨＹクロック生成部、２１１・・・ＡＳＩＣ、３０１・・・第２のＣＰＵ、３０２・・・第２のＲＯＭ、３０３・・・第２のＤＤＲ、３０４・・・ＴＰ  Ｉ／Ｆ、４０１・・・キー入力受付手段、４０２・・・表示手段、４０３・・・音声出力手段、４０４・・・インターフェース手段、４０５・・・第３のＣＰＵ、４０６・・・第３のＲＯＭ、４０７・・・第３のＲＡＭ。
【先行技術文献】
【特許文献】
【００９０】
【特許文献１】特開２００４−３３３９１８号公報
【図１】
0005477773.tif 000002
【図２】
0005477773.tif 000003
【図３】
0005477773.tif 000004
【図４】
0005477773.tif 000005
【図５】
0005477773.tif 000006
【図６】
0005477773.tif 000007
【図７】
0005477773.tif 000008
【図８】
0005477773.tif 000009
【図９】
0005477773.tif 000010